【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
ユーザ機器(ＵＥ)によって、競合ベース無線周波数スペクトルを利用する少なくとも１つのキャリアを識別すること、
前記少なくとも１つのキャリアについてのクリアチャネルアセスメント（ＣＣＡ）結果情報を示す送信信号を検出することと、ここにおいて、前記送信信号は、チャネル状態情報基準信号（ＣＳＩ−ＲＳ）を含む、
前記検出された送信信号に基づいて、チャネル状態情報測定のための基準信号がサブフレーム中に存在するかどうかを決定することと、
前記ＵＥによって、測定報告を送信することと、ここにおいて、前記測定報告は、前記基準信号が存在すると前記決定することに少なくとも部分的に基づく、
を備える、ワイヤレス通信の方法。
【請求項２】
ＣＣＡ結果情報を示す前記送信信号は、前記決定することが実施される前記サブフレームを含む、複数のサブフレームから備える送信フレームについて検出される、または、
ＣＣＡ結果情報を示す前記送信信号は、チャネル使用ビーコン信号（ＣＵＢＳ）を含む、
請求項１に記載の方法。
【請求項３】
前記ＵＥによって、複数の送信フレームにわたって前記基準信号の存在を決定することと、
前記基準信号が存在すると決定される、前記複数の送信フレームのうちの送信フレームの第１のセットについて、前記基準信号が不在であると決定されるフレームの第２のセットについてとは別個に、前記測定報告の一部として、干渉状態を処理することと、
をさらに含む、請求項１に記載の方法。
【請求項４】
送信フレーム中の第１のサブフレームについて第１の干渉測定を実施することと、
前記送信フレーム中の第２のサブフレームについて第２の干渉測定を実施することと、
前記第１の干渉測定に基づく第１の測定と、前記第２の干渉測定に基づく第２の測定とを備える測定報告を送信すること、または、
前記第１の干渉測定に関連する第１の測定報告を送信し、前記第２の干渉測定に関連する第２の測定報告を送信すること、ここにおいて、前記２の測定報告は、前記第２の干渉測定と前記第１の干渉測定との間の差分を提供する、
をさらに含む、請求項１に記載の方法。
【請求項５】
前記測定報告が前記第１および第２の測定を備えるとき、前記第１のサブフレームは通常であり、前記第２のサブフレームは特別サブフレームであり、ここにおいて、前記第１の測定は前記測定報告において前記第２の測定と平均化されない、または、
前記第１のサブフレームは第１の基準信号構成で構成され、前記第２のサブフレームは、前記第１の基準信号構成とは異なる第２の基準信号構成で構成される、
請求項４に記載の方法。
【請求項６】
前記サブフレーム中の実質的にすべてのシンボル中に存在するリソース要素のセットに基づいて干渉測定を実施することをさらに含み、オプションで、前記基準信号は、
前記サブフレームの各周波数にわたるホッピングパターン、または
前記サブフレームの１つまたは複数の所定の周波数
のうちの１つに配置される、請求項１に記載の方法。
【請求項７】
前記少なくとも１つのキャリアについて所定の持続時間にわたって前記ＣＣＡ結果情報を示す報告を送信すること、
をさらに含む、請求項１に記載の方法。
【請求項８】
競合ベース無線周波数スペクトルを利用する前記キャリアは無認可スペクトル中にある、請求項１に記載の方法。
【請求項９】
前記ＵＥによって、前記少なくとも１つのキャリアのために構成された２つ以上のチャネル状態フィードバックプロセスがあると決定することをさらに含み、チャネル測定のための前記基準信号を前記決定することは、前記２つ以上のチャネル状態フィードバックプロセスの各々について別々に実施される、
請求項１に記載の方法。
【請求項１０】
前記ＵＥは、前記基準信号が存在しないと決定し、前記方法は、
前記ＵＥによって前記測定報告を省略すること、または
前記測定報告を送信することと、ここにおいて、前記測定報告が、前の測定報告に少なくとも部分的に基づく、
のうちの１つをさらに含む、請求項１に記載の方法。
【請求項１１】
前記ＵＥによって、存在信号を受信すること、ここにおいて、前記存在信号は、前記基準信号が前記サブフレーム中に存在するかどうかを示す、をさらに含むか、または、
前記ＵＥによって、前記サブフレームが空のサブフレームであると決定すること、および、前記基準信号が存在すると前記決定することに応答して、前記ＵＥによって、前記サブフレーム全体にわたって干渉測定を実施すること、
をさらに含む、請求項１に記載の方法。
【請求項１２】
前記ＵＥによって前記測定報告を生成することをさらに含み、前記測定報告は、
前記サブフレームの持続時間にわたって前記ＵＥによって観測される平均化された干渉、または
前記サブフレームの１つまたは複数のシンボルに関連するシンボル依存干渉
のうちの１つに基づく干渉のフィードバックを含み、
オプションで、干渉の前記フィードバックはシンボル依存干渉に基づき、前記生成することは、
前記サブフレームの第１のスロットの各シンボルにわたって前記ＵＥによって観測される第１のシンボル干渉を平均化することと、
前記サブフレームの第２のスロットの各シンボルにわたって前記ＵＥによって観測される第２のシンボル干渉を平均化することと、ここにおいて、前記第１のシンボル干渉と前記第２のシンボル干渉とのうちの１つまたは複数は前記測定報告中に含まれる、
をさらに含む、請求項１に記載の方法。
【請求項１３】
前記サブフレームがアップリンクサブフレームであると決定することと、
前記サブフレームが前記アップリンクサブフレームであると前記決定することに応答して、前記検出することと、前記決定することと、前記送信することとを省略すること、をさらに含むか、または、
前記ＣＣＡがクリアされないとき、前記ＵＥによって前記サブフレームにおける干渉を測定することと、
前記測定報告を送信すること、ここにおいて、前記測定報告は、前記サブフレームにおいて前記測定された干渉に少なくとも部分的に基づく、
をさらに含む、請求項１に記載の方法。
【請求項１４】
前記基準信号は、非ゼロ電力チャネル状態情報基準信号（ＣＳＩ−ＲＳ）またはゼロ電力ＣＳＩ−ＲＳのうちの少なくとも１つであり、オプションで、前記非ゼロＣＳＩ−ＲＳは前記ＣＳＩフィードバックのチャネル測定についてであり、前記ゼロ電力ＣＳＩ−ＲＳは前記ＣＳＩフィードバックの干渉測定についてである、請求項１に記載の方法。
【請求項１５】
対応するＣＣＡはクリアされる場合、または、対応するＣＣＡがクリアされるか否かにかかわらず、非ゼロ電力基準信号はサブフレーム中に存在すると決定される、請求項１に記載の方法。
【請求項１６】
ユーザ機器(ＵＥ)によって、競合ベース無線周波数スペクトルを利用する少なくとも１つのキャリアを識別するための手段と、
前記少なくとも１つのキャリアについてのクリアチャネルアセスメント（ＣＣＡ）結果情報を示す送信信号を検出するための手段と、ここにおいて、前記送信信号は、チャネル状態情報基準信号（ＣＳＩ−ＲＳ）を含む、
前記検出された送信信号に基づいて、チャネル状態情報測定のための基準信号がサブフレーム中に存在するかどうかを決定するための手段と、
前記ＵＥによって、測定報告を送信するための手段と、ここにおいて、前記測定報告は、前記基準信号が存在すると前記決定することに少なくとも部分的に基づく、
を備える、ワイヤレス通信のために構成された装置。
【請求項１７】
請求項１−１５のうちのいずれか一項に記載の方法を実行するためのプログラムコードを記録したコンピュータ可読媒体。
【手続補正２】
【補正対象書類名】明細書
【補正対象項目名】０１１６
【補正方法】変更
【補正の内容】
【０１１６】
[0127]本開示についての以上の説明は、いかなる当業者でも本開示を作製または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
ユーザ機器(ＵＥ)によって、競合ベース無線周波数スペクトルを利用する少なくとも１つのキャリアを識別することと、
前記少なくとも１つのキャリアについてのクリアチャネルアセスメント（ＣＣＡ）結果情報を示す送信信号を検出することと、
前記検出された送信信号に基づいて、チャネル状態情報測定のための基準信号がサブフレーム中に存在するかどうかを決定することと、
前記ＵＥによって、測定報告を送信することと、ここにおいて、前記測定報告は、前記基準信号が存在すると前記決定することに少なくとも部分的に基づく、
を備える、ワイヤレス通信の方法。
［Ｃ２］
ＣＣＡ結果情報を示す前記送信信号は、前記決定することが実施される前記サブフレームを含む、複数のサブフレームから備える送信フレームについて検出される、Ｃ１に記載の方法。
［Ｃ３］
ＣＣＡ結果情報を示す前記送信信号は、チャネル使用ビーコン信号（ＣＵＢＳ）とチャネル状態情報基準信号（ＣＳＩ−ＲＳ）とのうちの１つまたは複数を含む、Ｃ１に記載の方法。
［Ｃ４］
前記ＵＥによって、複数の送信フレームにわたって前記基準信号の存在を決定することと、
前記基準信号が存在すると決定される、前記複数の送信フレームのうちの送信フレームの第１のセットについて、前記基準信号が不在であると決定されるフレームの第２のセットについてとは別個に、前記測定報告の一部として、干渉状態を処理することと、
をさらに含む、Ｃ１に記載の方法。
［Ｃ５］
送信フレーム中の第１のサブフレームについて第１の干渉測定を実施することと、
前記送信フレーム中の第２のサブフレームについて第２の干渉測定を実施することと、
前記第１の干渉測定に基づく第１の測定と、前記第２の干渉測定に基づく第２の測定とを備える測定報告を送信することと、
をさらに含む、Ｃ１に記載の方法。
［Ｃ６］
前記第１のサブフレームは通常であり、前記第２のサブフレームは特別サブフレームであり、ここにおいて、前記第１の測定は前記測定報告において前記第２の測定と平均化されない、Ｃ５に記載の方法。
［Ｃ７］
前記第１のサブフレームは第１の基準信号構成で構成され、前記第２のサブフレームは、前記第１の基準信号構成とは異なる第２の基準信号構成で構成された、Ｃ５に記載の方法。
［Ｃ８］
前記サブフレーム中の実質的にすべてのシンボル中に存在するリソース要素のセットに基づいて干渉測定を実施することをさらに含む、Ｃ１に記載の方法。
［Ｃ９］
前記基準信号は、
前記サブフレームの各周波数にわたるホッピングパターン、または
前記サブフレームの１つまたは複数の所定の周波数
のうちの１つに配置される、Ｃ８に記載の方法。
［Ｃ１０］
前記少なくとも１つのキャリアについて所定の持続時間にわたって前記ＣＣＡ結果情報を示す報告を送信すること、
をさらに含む、Ｃ１に記載の方法。
［Ｃ１１］
競合ベース無線周波数スペクトルを利用する前記キャリアは無認可スペクトル中にある、Ｃ１に記載の方法。
［Ｃ１２］
前記ＵＥによって、前記少なくとも１つのキャリアのために構成された２つ以上のチャネル状態フィードバックプロセスがあると決定することをさらに含み、チャネル測定のための前記基準信号を前記決定することは、前記２つ以上のチャネル状態フィードバックプロセスの各々について別々に実施される、
Ｃ１に記載の方法。
［Ｃ１３］
前記ＵＥは、前記基準信号が存在しないと決定し、前記方法は、
前記ＵＥによって前記測定報告を省略すること、または
前記測定報告を送信することと、ここにおいて、前記測定報告が、前の測定報告に少なくとも部分的に基づく、
のうちの１つをさらに含む、Ｃ１に記載の方法。
［Ｃ１４］
前記ＵＥによって、存在信号を受信することをさらに含み、前記存在信号は、前記基準信号が前記サブフレーム中に存在するかどうかを示す、
Ｃ１に記載の方法。
［Ｃ１５］
前記ＵＥによって、前記サブフレームが空のサブフレームであると決定することと、
前記基準信号が存在すると前記決定することに応答して、前記ＵＥによって、前記サブフレーム全体にわたって干渉測定を実施することと、
をさらに含む、Ｃ１に記載の方法。
［Ｃ１６］
送信フレーム中の第１のサブフレームについて第１の干渉測定を実施することと、
前記送信フレーム中の第２のサブフレームについて第２の干渉測定を実施することと、
前記第１の干渉測定に関連する第１の測定報告を送信することと、
前記第２の干渉測定に関連する第２の測定報告を送信することと、ここにおいて、前記第２の測定報告は前記第２の干渉測定と前記第１の干渉測定との間の差分を提供する、
をさらに含む、Ｃ１に記載の方法。
［Ｃ１７］
前記ＵＥによって前記測定報告を生成することをさらに含み、前記測定報告は、
前記サブフレームの持続時間にわたって前記ＵＥによって観測される平均化された干渉、または
前記サブフレームの１つまたは複数のシンボルに関連するシンボル依存干渉
のうちの１つに基づく干渉のフィードバックを含む、Ｃ１に記載の方法。
［Ｃ１８］
干渉の前記フィードバックはシンボル依存干渉に基づき、前記生成することは、
前記サブフレームの第１のスロットの各シンボルにわたって前記ＵＥによって観測される第１のシンボル干渉を平均化することと、
前記サブフレームの第２のスロットの各シンボルにわたって前記ＵＥによって観測される第２のシンボル干渉を平均化することと、ここにおいて、前記第１のシンボル干渉と前記第２のシンボル干渉とのうちの１つまたは複数は前記測定報告中に含まれる、
をさらに含む、Ｃ１７に記載の方法。
［Ｃ１９］
前記サブフレームがアップリンクサブフレームであると決定することと、
前記前記サブフレームが前記アップリンクサブフレームであると決定することに応答して、前記検出することと、前記決定することと、前記送信することとを省略することと、
をさらに含む、Ｃ１に記載の方法。
［Ｃ２０］
前記ＣＣＡがクリアされないとき、前記ＵＥによって前記サブフレームにおける干渉を測定することと、
前記測定報告を送信することと、ここにおいて、前記測定報告は、前記サブフレームにおいて前記測定された干渉に少なくとも部分的に基づく、
をさらに含む、Ｃ１に記載の方法。
［Ｃ２１］
前記基準信号は、非ゼロ電力チャネル状態情報基準信号（ＣＳＩ−ＲＳ）またはゼロ電力ＣＳＩ−ＲＳのうちの少なくとも１つである、Ｃ１に記載の方法。
［Ｃ２２］
前記非ゼロＣＳＩ−ＲＳは前記ＣＳＩフィードバックのチャネル測定についてであり、前記ゼロＣＳＩ−ＲＳは前記ＣＳＩフィードバックの干渉測定についてである、Ｃ２１に記載の方法。
［Ｃ２３］
対応するＣＣＡはクリアされる場合、非ゼロ電力基準信号はサブフレーム中に存在すると決定される、Ｃ１に記載の方法。
［Ｃ２４］
対応するＣＣＡがクリアされるか否かにかかわらず、ゼロ電力基準信号はサブフレーム中に存在すると決定される、Ｃ１に記載の方法。
［Ｃ２５］
ユーザ機器(ＵＥ)によって、競合ベース無線周波数スペクトルを利用する少なくとも１つのキャリアを識別するための手段と、
前記少なくとも１つのキャリアについてのクリアチャネルアセスメント（ＣＣＡ）結果情報を示す送信信号を検出するための手段と、
前記検出された送信信号に基づいてチャネル状態情報測定のための基準信号がサブフレーム中に存在するかどうかを決定するための手段と、
前記ＵＥによって、測定報告を送信するための手段と、ここにおいて、前記測定報告は、前記基準信号が存在すると前記決定することに少なくとも部分的に基づく、
を備える、ワイヤレス通信のために構成された装置。
［Ｃ２６］
プログラムコードを記録した非一時的コンピュータ可読媒体であって、前記プログラムコードは、
ユーザ機器(ＵＥ)によって、競合ベース無線周波数スペクトルを利用する少なくとも１つのキャリアを識別することをコンピュータに行わせるためのプログラムコードと、
前記少なくとも１つのキャリアについてのクリアチャネルアセスメント（ＣＣＡ）結果情報を示す送信信号を検出することを前記コンピュータに行わせるためのプログラムコードと、
前記検出された送信信号に基づいて、チャネル状態情報測定のための基準信号がサブフレーム中に存在するかどうかを決定することを前記コンピュータに行わせるためのプログラムコードと、
前記ＵＥによって、測定報告を送信することを前記コンピュータに行わせるためのプログラムコードと、ここにおいて、前記測定報告は、前記基準信号が存在すると前記決定することに少なくとも部分的に基づく、
を含む、非一時的コンピュータ可読媒体。
［Ｃ２７］
ワイヤレス通信のために構成された装置であって、前記装置は、
少なくとも１つのプロセッサと、
前記少なくとも１つのプロセッサに結合されたメモリと、
を備え、前記少なくとも１つのプロセッサは、
ユーザ機器(ＵＥ)によって、競合ベース無線周波数スペクトルを利用する少なくとも１つのキャリアを識別することと、
前記少なくとも１つのキャリアについてのクリアチャネルアセスメント（ＣＣＡ）結果情報を示す送信信号を検出することと、
前記検出された送信信号に基づいて、チャネル状態情報測定のための基準信号がサブフレーム中に存在するかどうかを決定することと、
前記ＵＥによって、測定報告を送信することと、ここにおいて、前記測定報告は、前記基準信号が存在すると前記決定することに少なくとも部分的に基づく、
を行うように構成された、装置。
［Ｃ２８］
ＣＣＡ結果情報を示す前記送信信号は、前記決定することが実施される前記サブフレームを含む、複数のサブフレームから備える送信フレームについて検出される、Ｃ２７に記載の装置。
［Ｃ２９］
前記ＵＥによって、複数の送信フレームにわたって前記基準信号の存在を決定することと、
前記基準信号がその中に存在すると決定される、前記複数の送信フレームのうちの送信フレームの第１のセットについて、前記基準信号が不在であると決定されるフレームの第２のセットについてとは別個に、前記測定報告の一部として、干渉状態を処理することと、
を行うための、前記少なくとも１つのプロセッサの構成をさらに含む、Ｃ２７に記載の装置。
［Ｃ３０］
送信フレーム中の第１のサブフレームについて第１の干渉測定を実施することと、
前記送信フレーム中の第２のサブフレームについて第２の干渉測定を実施することと、
前記第１の干渉測定に基づく第１の測定と、前記第２の干渉測定に基づく第２の測定とを備える測定報告を送信することと、
を行うための、前記少なくとも１つのプロセッサの構成をさらに含む、Ｃ２７に記載の装置。